(57)【特許請求の範囲】
【請求項１】
中央ベルト部材の左右両端部にコキ式の引き出し環を接続し、これらの引き出し環に各々端ベルト部材を係合させることによって、当該端ベルト部材を、ストラップの実効長を構成する肩掛け領域とストラップの実効長を構成しない引き出し領域とに区成し、端ベルト部材の引き出し端側を自由端とするとともに、
前記引き出し環に端ベルト部材を、当該引き出し環に対して肩掛け領域に所定方向の荷重が掛かったときに当該ベルトを拘束し、引き出し領域が引っ張られたときにベルトを開放し得るように係合させ、これにより拘束時にストラップの実効長を固定し、開放時に肩掛け領域または引き出し領域の一方から他方に向かって端ベルト部材を連続的に移動させてストラップの実効長を変更可能としたことを特徴とするショルダーストラップ。
【請求項２】
中央ベルト部材の左右両端部にコキ式の引き出し環を接続し、これらの引き出し環に各々端ベルト部材を係合させることによって、当該端ベルト部材を、ストラップの実効長を構成する肩掛け領域とストラップの実効長を構成しない引き出し領域とに区成し、端ベルト部材の引き出し端側を自由端とするとともに、
前記引き出し環に端ベルト部材を、当該引き出し環に対して肩掛け領域に所定方向の荷重が掛かったときに当該ベルトを拘束し、前記引き出し環に対して肩掛け領域が前記所定方向と異なる方向に引っ張られたときにベルトを開放し得るように係合させ、これにより拘束時にストラップの実効長を固定し、開放時に肩掛け領域または引き出し領域の一方から他方に向かって端ベルト部材を連続的に移動させてストラップの実効長を変更可能としたことを特徴とするショルダーストラップ。
【請求項３】
前記引き出し環に端ベルト部材を、引き出し領域が引っ張られたときにもベルトを開放し得るように係合させている請求項２記載のショルダーストラップ。
【請求項４】
中央ベルト部材と左右の端ベルト部材の三つを備えているもので、中央ベルト部材が固定式の肩パッドを有するとともに、中央ベルト部材と左右の端ベルト部材の間をコキ式の引き出し環を有する継手部材によって接続し、これにより端ベルト部材をストラップの実効長を構成する肩掛け領域とストラップの実効長を構成しない引き出し領域とに区成するとともに、
前記引き出し環に端ベルト部材を、当該引き出し環に対して肩掛け領域に所定方向の荷重が掛かったときに当該ベルトを拘束し、引き出し領域が引っ張られたときにベルトを開放し得るように係合させ、これにより拘束時にストラップの実効長を肩パッドの左右両側で固定し、開放時に肩掛け領域と引き出し領域の間で端ベルト部材を移動させてストラップの実効長を肩パッドの左右両側で同時に若しくは個別に変更可能としたことを特徴とするショルダーストラップ。
【請求項５】
中央ベルト部材と左右の端ベルト部材の三つに分割されているもので、中央ベルト部材が肩パッドを構成するとともに、中央ベルト部材と左右の端ベルト部材の間をコキ式の引き出し環を有する継手部材によって接続し、これにより端ベルト部材をストラップの実効長を構成する肩掛け領域とストラップの実効長を構成しない引き出し領域とに区成するとともに、
前記引き出し環に端ベルト部材を、当該引き出し環に対して肩掛け領域に所定方向の荷重が掛かったときに当該ベルトを拘束し、前記引き出し環に対して肩掛け領域が前記所定方向と異なる方向に引っ張られたときにベルトを開放し得るように係合させ、これにより拘束時にストラップの実効長を肩パッドの左右両側で固定し、開放時に肩掛け領域と引き出し領域の間で端ベルト部材を移動させてストラップの実効長を肩パッドの左右両側で同時に若しくは個別に変更可能としたことを特徴とするショルダーストラップ。
【請求項６】
前記引き出し環に端ベルト部材を、引き出し領域が引っ張られたときにもベルトを開放し得るように係合させている請求項５記載のショルダーストラップ。
【請求項７】
引き出し環は、平環のなかに固定された中軸を備え、中軸で画された一対の窓の一方に挿通したベルトを折り返して他方から引き出すことでベルトを中軸に引っ掛けるようにしたものであり、中軸に対して平環の外枠は一端側が窓の開口方向に変位していて、中軸から平環の外枠に向けてベルトの二重になった部分を重合させて押し付ける方向に引っ張られたときにベルトを拘束し、窓の開口方向に引っ張られ、あるいはベルトの二重になった部分の少なくとも一方が平環の外枠に押し付けられない状態で引っ張られたときにベルトの開放を可能とするものであることを特徴とする請求項１〜６の何れかに記載のショルダーストラップ。
【請求項８】
肩掛け領域と引き出し領域はともに束縛手段に挿し通してある請求項１〜７の何れかに記載のショルダーストラップ。
【請求項９】
引き出し領域の一部に着脱部を設け、この着脱部を引き出し先においてベルトの他の一部に着脱可能に接続することでベルトをまとめるようにしている請求項１、３、４又は６の何れかに記載のショルダーストラップ。
【請求項１０】
着脱部に更に第２の引き出し環を一体的に備え、前記引き出し環から引き出した引き出し領域を更に、前記第２の引き出し環によって、引き出し環から第２の引き出し環までの折り畳み領域と、第２の引き出し環から先の余長領域とに区成しているものであり、前記第２の引き出し環を、折り畳み領域が所定方向に引っ張られたときに当該引き出し領域を拘束し、折り畳み領域が前記所定方向と異なる方向に引っ張られたときにベルトを開放し得るように構成して、開放時に折り畳み領域から余長領域にベルトを連続的に移動させてベルトを折り畳み得るようにしている請求項９記載のショルダーストラップ。
【請求項１１】
請求項３又は６記載のショルダーストラップを運搬具本体に取り付けたものであって、引き出し環の開放時に引き出し領域を引っ張ることでストラップの実効長を短くして肩掛け領域を運搬具本体部の外周に沿って収める一方、引き出し環を持ち上げる操作を通じて肩掛け領域を間接的に引っ張ることでストラップの実効長を引き伸ばし得るように構成したことを特徴とする携帯用運搬具。
【請求項１２】
請求項９記載のショルダーストラップを運搬具本体に取り付けたものであって、引き出し環の開放時に引き出し領域を引っ張ることでストラップの実効長を短くし、更に引き出し領域の一部に設けた着脱部をベルトの他の一部に接続することで引き出し領域をまとめて肩掛け領域とともに運搬具本体からの垂れ下がりを防止するように構成したことを特徴とする携帯用運搬具。
【請求項１３】
請求項１０記載のショルダーストラップを運搬具本体に取り付けたものであって、引き出し環の開放時に引き出し領域を引っ張ることでストラップの実効長を短くし、更に引き出し領域の一部に設けた着脱部をベルトの他の一部に接続して余長領域を引っ張ることで、引き出し領域を肩掛け領域とともに運搬具本体部の外周に沿って折り畳むように構成したことを特徴とする携帯用運搬具。
【請求項１４】
ベルトの一部に更に、余長領域を折り畳み領域に束ねるための束縛手段がベルトの長手方向に沿って移動可能に設けてある請求項１３記載の携帯用運搬具。
【発明の詳細な説明】
【技術分野】
【０００１】
本発明は、使用時や不使用時に特に適切な形態を与え得るショルダーストラップおよび携帯用運搬具に関するものである。
【背景技術】
【０００２】
従来より、ショルダーストラップ（以下、必要に応じて「ストラップ」と略称する）の長さを調節する装置としては、一般的に送りカンと言われる長さ調節部が知られている。この送りカンと称される調節具は、平環に中軸を設け、ベルトの一端を中軸に取り付け、他端側を中軸から引き出して巻き回した後、その他端側を中軸によって画される一対の窓の一方に前記引き出し側から差し込んで他方の窓から再び引き出すことで、ベルトの二重になる部分と一重になる部分を形成するものである。そして、二重になる部分と一重になる部分の割合を変えることで、使用するストラップの実効長を調節することを可能にしている。
【０００３】
すなわち、このような調節部を利用したストラップを肩掛けまたは袈裟掛けに使用するには、体格、並びに使用状況に応じて、調節部で平環の一方から他方へベルトを送り出し、ベルトの一重の部分と二重の部分の割合を変えることでストラップの長さを調節するというのが広く一般的な利用の形態となっている。
【０００４】
また、この種のストラップは、ベルトの中央部に肩パッドがスライド可能に挿通、あるいは簡易留め具により着脱可能に取り付けてあり、ベルトに挿通させたパッドをスライドさせて肩部頂点の位置に置き、当該肩部頂点に荷重を掛けて使用することで、肩への荷重の分散が図られているのが通例である。
【０００５】
これに関連するものとして、例えば特許文献１等を挙げることができる。
【先行技術文献】
【特許文献】
【０００６】
【特許文献１】特表２００９−５３８６７８号公報
【発明の概要】
【発明が解決しようとする課題】
【０００７】
しかしながら、ストラップの長さを調節する際には、平環に対してベルトを少しずつ送り出す必要があり、使用の形態に合わせて頻繁に長さを変えるには非常に操作性が悪いものである。
【０００８】
また、長さ調節機能は、ベルトのほぼ全域を一重にするか二重にするかの間で調節を可能にするものであって、調節範囲がベルトの全長のほぼ半分に限定され、特許文献１もこれに準ずるため、調節しろが狭く、携帯用運搬具の種類や使用する人の体格によって、ストラップを複数用意しなければならない場合もある。
【０００９】
さらに、肩パッドがベルトにスライド可能に挿通、あるいは簡易留め具により着脱可能とされている可動式のものでは、肩部頂点に位置させても、歩く、かがむなどの動作時に肩部頂点で支えていたパッドがずれたり滑り落ちたりする不具合が生じ易い。そして、ストラップをこのようにずれた状態で使用することで、肩に過大な負担がかかり、肩こりや、肩こりから派生する頭痛、腰痛などを誘発、助長するという問題もあった。
【００１０】
さらにまた、従来の送りカン式の調節部を備えたストラップは、あくまで長さ調節用のものであって、ストラップを折り畳んだり収納したりするものではない。このため、携帯用運搬具を置いたとき、ストラップが垂れ下がり、大きな輪をなすストラップに足をとられるなどのおそれがある上に、床に触れる度に汚損するため不衛生で見栄えも悪く、再度ストラップを掛ける際にもストラップを介して衣服等に二次汚損が生じるといった問題もあった。
【００１１】
本発明は、これらの課題に着目してなされたものであって、ベルトを少しずつ送り出す操作性の悪さや、調節しろの狭さ、肩パッドがずれたり滑り落ちたりする不具合、ストラップが垂れ下がるという問題を解消可能にするなど、ストラップにまつわる種々の不具合を全面的に解消した画期的なストラップおよび携帯用運搬具を新たに提供することを目的としている。
【課題を解決するための手段】
【００１２】
本発明は、かかる目的を達成するために、次のような手段を講じたものである。
【００１３】
すなわち、本発明は、中央ベルト部材の左右両端部にコキ式の引き出し環を接続し、これらの引き出し環に各々端ベルト部材を係合させることによって、当該端ベルト部材を、ストラップの実効長を構成する肩掛け領域とストラップの実効長を構成しない引き出し領域とに区成し、端ベルト部材の引き出し端側を自由端とするとともに、前記引き出し環に端ベルト部材を、当該引き出し環に対して肩掛け領域に所定方向の荷重が掛かったときに当該ベルトを拘束し、引き出し領域が引っ張られたときにベルトを開放し得るように係合させ、これにより拘束時にストラップの実効長を固定し、開放時に肩掛け領域または引き出し領域の一方から他方に向かって端ベルト部材を連続的に移動させてストラップの実効長を変更可能としたことを特徴とする。
【００１４】
或いは、中央ベルト部材の左右両端部にコキ式の引き出し環を接続し、これらの引き出し環に各々端ベルト部材を係合させることによって、当該端ベルト部材を、ストラップの実効長を構成する肩掛け領域とストラップの実効長を構成しない引き出し領域とに区成し、端ベルト部材の引き出し端側を自由端とするとともに、前記引き出し環に端ベルト部材を、当該引き出し環に対して肩掛け領域に所定方向の荷重が掛かったときに当該ベルトを拘束し、前記引き出し環に対して肩掛け領域が前記所定方向と異なる方向に引っ張られたときにベルトを開放し得るように係合させ、これにより拘束時にストラップの実効長を固定し、開放時に肩掛け領域または引き出し領域の一方から他方に向かって端ベルト部材を連続的に移動させてストラップの実効長を変更可能としたことを特徴とする。
【００１５】
或いは、前記引き出し環に端ベルト部材を、引き出し領域が引っ張られたときにもベルトを開放し得るように係合させて第１のショルダーストラップを構成したことを特徴とする。
【００１６】
このように構成すると、送り環の場合と比べて、引っ張るだけで瞬時に長さ調節が行え、調節も端ベルト部材の全長を利用した大きな調節しろを確保することができる。
【００１７】
一方、本発明は、中央ベルト部材と左右の端ベルト部材の三つを備えているもので、中央ベルト部材が固定式の肩パッドを有するとともに、中央ベルト部材と左右の端ベルト部材の間をコキ式の引き出し環を有する継手部材によって接続し、これにより端ベルト部材をストラップの実効長を構成する肩掛け領域とストラップの実効長を構成しない引き出し領域とに区成するとともに、前記引き出し環に端ベルト部材を、当該引き出し環に対して肩掛け領域に所定方向の荷重が掛かったときに当該ベルトを拘束し、引き出し領域が引っ張られたときにベルトを開放し得るように係合させ、これにより拘束時にストラップの実効長を肩パッドの左右両側で固定し、開放時に肩掛け領域と引き出し領域の間で端ベルト部材を移動させてストラップの実効長を肩パッドの左右両側で同時に若しくは個別に変更可能としたことを特徴とする。
【００１８】
或いは、中央ベルト部材と左右の端ベルト部材の三つに分割されているもので、中央ベルト部材が肩パッドを構成するとともに、中央ベルト部材と左右の端ベルト部材の間をコキ式の引き出し環を有する継手部材によって接続し、これにより端ベルト部材をストラップの実効長を構成する肩掛け領域とストラップの実効長を構成しない引き出し領域とに区成するとともに、前記引き出し環に端ベルト部材を、当該引き出し環に対して肩掛け領域に所定方向の荷重が掛かったときに当該ベルトを拘束し、前記引き出し環に対して肩掛け領域が前記所定方向と異なる方向に引っ張られたときにベルトを開放し得るように係合させ、これにより拘束時にストラップの実効長を肩パッドの左右両側で固定し、開放時に肩掛け領域と引き出し領域の間で端ベルト部材を移動させてストラップの実効長を肩パッドの左右両側で同時に若しくは個別に変更可能としたことを特徴とする。
【００１９】
また、前記引き出し環に端ベルト部材を、引き出し領域が引っ張られたときにもベルトを開放し得るように係合させて第１のショルダーストラップを構成したことを特徴とする。
【００２０】
このようにすると、常にストラップの肩パッドを肩部頂点に位置させるための調節をすることができ、調節後にも肩パッドがスライドすることがないため確実に調節状態を維持することができる。
【００２１】
以上において、引き出し環は、平環のなかに固定された中軸を備え、中軸で画された一対の窓の一方に挿通したベルトを折り返して他方から引き出すことでベルトを中軸に引っ掛けるようにしたものであり、中軸に対して平環の外枠は一端側が窓の開口方向に変位していて、中軸から平環の外枠に向けてベルトの二重になった部分を重合させて押し付ける方向に引っ張られたときにベルトを拘束し、窓の開口方向に引っ張られ、あるいはベルトの二重になった部分の少なくとも一方が平環の外枠に押し付けられない状態で引っ張られたときにベルトの開放を可能とすることが好適である。
或いは、肩掛け領域と引き出し領域はともに束縛手段に挿し通してあることが好適である。
【００２２】
全体の垂れ下がりを防止するためには、引き出し領域の一部に着脱部を設け、この着脱部を引き出し先においてベルトの他の一部に着脱可能に接続することでベルトをまとめるようにした第２のショルダーストラップが有効である。
【００２３】
垂れ下がりの防止をより確実ならしめるためには、着脱部に更に第２の引き出し環を一体的に備え、前記引き出し環から引き出した引き出し領域を更に、前記第２の引き出し環によって、引き出し環から第２の引き出し環までの折り畳み領域と、第２の引き出し環から先の余長領域とに区成して、前記第２の引き出し環を、折り畳み領域が所定方向に引っ張られたときに当該引き出し領域を拘束し、折り畳み領域が前記所定方向と異なる方向に引っ張られたときに端ベルト部材を開放し得るように構成して、開放時に折り畳み領域から余長領域に端ベルト部材を連続的に移動させてベルトを折り畳み得るようにした第３のショルダーストラップが効果的である。
【００２４】
上記第１のショルダーストラップを運搬具本体に取り付けて携帯用運搬具を構成するためには、引き出し環の開放時に引き出し領域を引っ張ることでストラップの実効長を短くして肩掛け領域を運搬具本体部の外周に沿って収める一方、引き出し環を持ち上げる操作を通じて肩掛け領域を間接的に引っ張ることでストラップの実効長を引き伸ばし得るように構成することが好適である。
【００２５】
上記第２のショルダーストラップを運搬具本体に取り付けて携帯用運搬具を構成するためには、引き出し環の開放時に引き出し領域を引っ張ることでストラップの実効長を短くし、更に引き出し領域の一部に設けた着脱部をベルトの他の一部に接続することで引き出し領域をまとめて肩掛け領域とともに運搬具本体からの垂れ下がりを防止することが好適である。
【００２６】
上記第３のショルダーストラップを運搬具本体に取り付けて携帯用運搬具を構成するためには、引き出し環の開放時に引き出し領域を引っ張ることでストラップの実効長を短くし、更に引き出し領域の一部に設けた着脱部をベルトの他の一部に接続して余長領域を引っ張ることで、引き出し領域を肩掛け領域とともに運搬具本体部の外周に沿って折り畳むように構成することが好適である。
【００２７】
この場合、ベルトの一部に更に、余長領域を折り畳み領域に束ねるための束縛手段がベルトの長手方向に沿って移動可能に設けてあることが更に好ましい。
【発明の効果】
【００２８】
本発明は、以上説明した構成であるから、ベルトの端部を両手で引っ張るという非常に簡単な操作で、一瞬にしてストラップの長さを調節できて、しかもストラップの調節しろを大きくとることができるので、ストラップの輪に足をとられるといった不都合を簡単かつ適切に解消することが可能になるとともに、このような構成を発展させれば、ストラップの垂れ下がりも有効に防止して、衛生的な使用状態を確保することが可能となる。また併せて、肩パッドがずれたり滑り落ちたりする不具合を解消することが可能となる。
【図面の簡単な説明】
【００２９】
【図１】本発明の一実施形態に係るストラップを適用したバッグ。
【図２】同ストラップの拡大図。
【図３】同ストラップに使用しているコキ式の引き出し環を説明する図。
【図４】同バッグにおけるストラップの出し入れに関する取扱い説明図。
【図５】同バッグにおけるストラップの出し入れに関する取扱い説明図。
【図６】同バッグにおけるストラップの出し入れに関する取扱い説明図。
【図７】同バッグにおけるストラップの回転機能に関する説明図。
【図８】同バッグにおけるストラップの固定式の肩パッド及び調節部に関する説明図。
【図９】肩パッドが端ベルト部材に対して着脱可能である変形例を示す図。
【図１０】ストラップの取付場所が異なるバッグにストラップを取り付けた場合の説明図。
【図１１】ストラップの取付場所が異なるバッグにストラップを取り付けた場合の説明図。
【図１２】ストラップの取付場所が異なるバッグにストラップを取り付けた場合の説明図。
【図１３】ストラップのバッグ本体への取付構造が異なる変形例を示す図。
【図１４】ストラップのバッグ本体への折り畳み構造が異なる変形例を示す図。
【図１５】本発明の上記以外の変形例を示す図１に対応した図。
【図１６】本発明の上記以外の変形例を示す図４に対応した図。
【図１７】本発明の上記以外の変形例を示す図５に対応した図。
【発明を実施するための形態】
【００３０】
以下、本発明の一実施形態を、図面を参照して説明する。
【００３１】
図１に示す本実施形態の携帯用運搬具たるバッグＡは、バッグ本体１の少なくとも左右２箇所、具体的にはバッグ本体１の厚みを構成する側壁１１に設けた支持部１１ａにショルダーストラップＢを引っ掛けて使用するものである。この実施形態の支持部１１ａはループ状の金具、いわゆるＤ環と称されるものが使用されているが、支持部１１ａの形態はこれに限らない。
【００３２】
ストラップＢは、図１及び図２に示すように、中央ベルト部材２と左右の端ベルト部材３、３の三つに分割されているもので、中央ベルト部材２それ自体が肩パッド２０で構成されているとともに、中央ベルト部材２と左右の端ベルト部材３の間を回転軸４１を有する継手部材４によって接続している。
【００３３】
継手部材４は、中央ベルト部材２の端部にループ状の金具、いわゆるＤ環と称される接続具４２を取り付け、この接続具４２に回転軸４１を介して引き出し環４３を接続したものである。
【００３４】
引き出し環４３は、一般に「コキ式」とも称されるもので、図３に示すように、平環４３ａのなかに固定された中軸４３ｂを備え、中軸４３ｂで画された一対の窓４３ｃ、４３ｃの一方に挿通したベルトＣを折り返して他方から引き出すことでベルトＣを中軸４３ｂに引っ掛けるようにしたものであり、中軸４３ｂに対して平環４３ａの外枠４３ａ１は一端側が窓４３ｃの開口方向に変位している。そして、所定の引っ張り状態すなわち同図（ｂ）のように中軸４３ｂから平環４３ａの外枠４３ａ１に向けてベルトＣの二重になった部分ｃ１、ｃ２を重合させて押し付る方向に引っ張られたときにベルトＣを拘束（ロック）し、前記と異なる引っ張り状態、例えば同図（ｃ）に示すような窓の開口方向や、ベルトＣの二重になった部分ｃ１、ｃ２の少なくとも一方（図３（ｃ）ではｃ２、図３（ｄ）では両方）が平環４３ａの外枠４３ａ１に押し付けられない状態で引っ張られたときにベルトＣの開放（リリース）を可能とする機能を備える。
【００３５】
そして、このような肩パッド２０に近い側に設けた引き出し環４３に、図１及び図２に示すように端ベルト部材３のうち肩パッド２０側の他端３ｂ側を係合させて折り返すことによって、端ベルト部材３を、バッグ本体１の支持部１１ａに対する接続位置に近い一端部３ａから引き出し環４３まで延びて中央ベルト部材２とともにループ状の肩掛け部を構成する肩掛け領域３１と、引き出し環４３から他端部３ｂまでの間にあって肩掛け部を構成しない引き出し領域３２とに区成している。他端部（引き出し端）３ｂ側は自由端となっており、肩掛け領域３１と引き出し領域３２はともに束縛手段であるループ環３０に挿し通してある。一端部３ａには、このストラップＢをバッグ本体１の支持部１１ａに着脱可能に取り付けるためのスナップフック等の接続部材５が設けてある。この接続部材５には、既存のストラップに用いられている一般的な接続部材と脱着構造に共有する互換性のあるものが用いてある。
【００３６】
また、図２に示すように、左右の端ベルト部材３の各々の引き出し領域３２の一部には、当該左右の端ベルト部材３，３同士を接続又は接続解除するための着脱部６１、６１´を有する接続部材６、６´が設けてある。着脱部６１と６１´は、例えば雄型バックル要素と雌型バックル要素の関係をなし、係合することによって着脱接続部を構成するものであり、図１に示すストラップＢの実効長Ｌ（すなわち、一方の接続部材５の接続部分から他方の接続部材５の接続部分までの距離）は、肩掛け領域３１が最長となり引き出し領域３２が最短となって着脱部６１、６１´が引き出し環４３に最接近したときに最も引き出された状態になるとともに、肩掛け領域３１が最短となり引き出し領域３２が最長となって接続部材５が引き出し環４３に最接近したときに最も短くなる。
【００３７】
さらに接続部材６には、図２に示すように、着脱部６１、６１´とともに第２の引き出し環６２が一体的に設けてある。この第２の引き出し環６２は、前記引き出し環４３から引き出した引き出し領域３２を更に、引き出し環４３から第２の引き出し環６２までの折り畳み領域３２ａと、第２の引き出し環６２から先の余長領域３２ｂとに区成しているものである。この第２の引き出し環６２も、前記第１の引き出し環４３について図３に基づいて説明したと同様の構造及び機能を有するいわゆるコキ式のものである。
【００３８】
なお、図２等に示すように、余長領域３２ｂと折り畳み領域３２ａはともに束縛手段であるループ環３３に挿し通してあり、このループ環３３により余長領域３２ｂを折り畳み領域３２ａに束ねて、ベルトＣがばらつかないようにしている。このループ環３３は折り畳み領域３２ａ及び余長領域３２ｂを構成するベルトＣの長手方向に沿って移動可能とされている。
【００３９】
肩パッド２０は、緩衝性の高い素材で構成され、なおかつ表裏をなす一方の面２０ａと他方の面２０ｂが摩擦係数の異なる素材で構成されている。本実施形態においては、一方の面２０ａは滑りやすく、他方の面２０ｂは滑りにくくなっている。
【００４０】
回転軸４１は肩パッド２０の両側と端ベルト部材３との間に設けられている関係上、このストラップＢの実効長Ｌを適度に引き伸ばした状態で、回転軸４１は図１に示すようにバッグ本体１と干渉しない位置に配される。
【００４１】
次に、この実施形態におけるストラップＢの取り扱い方法について説明する。図１に実線で示すように実効長Ｌがある程度引き伸ばされた状態でストラップＢを図７（ａ）、（ｂ）のように肩に掛けると、バッグ本体１の荷重で端ベルト部材３の肩掛け領域３１が中央ベルト部材２の延長方向に引っ張られ、このとき引き出し環４３は図３（ｂ）の状態で引き出し環４３に対して所定方向に引っ張られている端ベルト部材３を拘束するため、肩掛け領域３１と引き出し領域３２の長さ関係が崩れることはなく、ストラップＢの実効長Ｌが固定されて、調節位置がずれることはない。
【００４２】
一方、バッグ本体１を肩から降ろすなどして、引き出し領域３２を引き出し環４３に対して所定方向と異なる方向、例えば図１に矢印で示すように左右に離れる方向に引っ張ると、引き出し環４３が図３（ｃ）或いは図３（ｄ）の状態で端ベルト部材３を開放するため、図中想像線で示すように肩掛け領域３１から引き出し領域３２に向かってベルトＣが連続的に移動する結果、同図に想像線で示すようにストラップの実効長Ｌを短くして、少なくとも肩パッド２０を図４に実線で示すようにバッグ本体１の外周、特に頂部１２に沿って収めることができる。
【００４３】
逆にこの状態から、同図中想像線で示すように引き出し環４３を持ち上げる操作を通じて肩掛け領域３１を下方に向けて間接的に引っ張れば、引き出し環４３が図３（ｄ）の状態で端ベルト部材３を開放するため、引き出し領域３２から肩掛け領域３１に向かってベルトＣが連続的に移動する結果、図１に実線で示すようにストラップの実効長Ｌを引き伸ばすことができる。すなわち、引き出し環４３は、拘束時にストラップＢの実効長Ｌを中央ベルト部材２の左右両側で固定し、開放時にストラップＢの実効長Ｌを中央ベルト部材２の左右両側で同時に若しくは個別に変更可能とするものである。
【００４４】
更に本実施形態は、図４に実線で示す状態から引き出し領域３２に設けた着脱部６１、６１´を摘み、図５に想像線で示すようにバッグ本体１の上部で相互に着脱部６１、６１´を接続することで、引き出し領域３２を一まとめにして垂れ下がりを防止し、更に同図中矢印で示すように着脱部６１、６１´と一体に設けた第２の引き出し環６２から引き出されている余長領域３２ｂを互いに離れる方向に引っ張ることで、第２の引き出し環６２が図３（ｃ）或いは図３（ｄ）の状態で端ベルト部材３を開放して、図５に矢印で示すように折り畳み領域３２ａから余長領域３２ｂに向かってベルトＣが連続的に移動する結果、引き出し領域３２を最短の状態でバッグ本体１の頂部１２に折り畳むことができる。逆にこの状態から、図６に示すように着脱部６１、６１´を摘んで上方に引き上げれば、折り畳み領域３２ａが斜め下方に引っ張られて、第２の引き出し環６２が図３（ｄ）の状態で端ベルト部材３を開放するため、余長領域３２ｂから折り畳み領域３２ａに向かってベルトＣが連続的に繰り出される結果、端ベルト部材３が弛緩して、着脱部６１、６１´の接続状態を解除することができる。勿論、可能であれば締め付けたままの状態で着脱部６１、６１´を解除する操作を行ってもよい。
【００４５】
すなわち、ストラップＢをバッグＡの上部に、ベルトＣを引っ張って（図４参照）、留めて（図５想像線参照）、引っ張る（図５実線参照）という３つの簡単な一連の操作を通じて、当該ベルトＣを収納することができ、逆に脱着部６１、６１´を引き上げて（図６参照）、接続を解除し（図４実線参照）、引き上げる（図４想像線参照）という３つの簡単な一連の操作を通じて、当該ベルトＣを引き出すことができるものである。
【００４６】
以上のように、本実施形態のショルダーストラップは、中央ベルト部材２の左右両端部にコキ式の引き出し環４３を接続し、これらの引き出し環４３に各々端ベルト部材３を係合させることによって、当該端ベルト部材３を、ストラップＢの実効長Ｌを構成する肩掛け領域３１とストラップＢの実効長Ｌを構成しない引き出し領域３２とに区成し、端ベルト部材３の引き出し端側を自由端とするとともに、前記引き出し環４３に端ベルト部材３を、当該引き出し環４３に対して肩掛け領域３１に図７（ａ）、（ｂ）等に示す使用状態で所定方向の荷重が掛かったときに当該端ベルト部材３を拘束し、引き出し領域３２が図１に示すように引っ張られたときに端ベルト部材３を開放し得るように係合させ、これにより拘束時にストラップＢの実効長Ｌを固定し、開放時に肩掛け領域３１または引き出し領域３２の一方から他方に向かって端ベルト部材３を連続的に移動させてストラップＢの実効長Ｌを変更可能としたものである。
【００４７】
或いは、中央ベルト部材２の左右両端部にコキ式の引き出し環４３を接続し、これらの引き出し環４３に各々端ベルト部材３を係合させることによって、当該端ベルト部材３を、ストラップＢの実効長Ｌを構成する肩掛け領域３１とストラップＢの実効長Ｌを構成しない引き出し領域３２とに区成し、端ベルト部材３の引き出し端側を自由端とするとともに、前記引き出し環４３に端ベルト部材３を、当該引き出し環４３に対して肩掛け領域３１に所定方向の荷重が掛かったときに当該ベルトＣを拘束し、前記引き出し環４３に対して肩掛け領域３１が前記所定方向と異なる方向に引っ張られたときにベルトＣを開放し得るように係合させ、これにより拘束時にストラップＢの実効長Ｌを固定し、開放時に肩掛け領域３１または引き出し領域３２の一方から他方に向かって端ベルト部材３を連続的に移動させてストラップＢの実効長Ｌを変更可能としたものである。また、前記引き出し環４３に端ベルト部材３を、引き出し領域３２が引っ張られたときにもベルトＣを開放し得るように係合させている。
【００４８】
このため、送り環の場合と比べて、引っ張るだけで瞬時に長さ調節が行え、調節も端ベルト部材３の端から端までほぼ全長を利用した大きな調節しろを確保することができるので、大きく輪をなす肩掛け部分を瞬時に収納することができて、足をとられる等の不都合を有効に解消することができる。そして、少なくとも肩パッド２０はバッグ本体１の外周である頂部１２に沿って収まり、床に垂れ下がることがないので、最も体に接触する部位を汚損から有効に防止することができる。図４のままでも端ベルト部材３が垂れる量も抑えることができる。
【００４９】
一方、本実施形態のショルダーストラップＢは、中央ベルト部材２と左右の端ベルト部材３の三つを備えているもので、中央ベルト部材２が固定式の肩パッド２０を有するとともに、中央ベルト部材２と左右の端ベルト部材３の間をコキ式の引き出し環４３を有する継手部材４によって接続し、これにより端ベルト部材３をストラップＢの実効長Ｌを構成する肩掛け領域３１とストラップＢの実効長Ｌを構成しない引き出し領域３２とに区成するとともに、前記引き出し環４３に端ベルト部材３を、当該引き出し環４３に対して肩掛け領域３１に所定方向の荷重が掛かったときに当該ベルトＣを拘束し、引き出し領域３２が引っ張られたときにベルトＣを開放し得るように係合させ、これにより拘束時にストラップＢの実効長Ｌを肩パッド２０の左右両側で固定し、開放時に肩掛け領域３１と引き出し領域３２の間で端ベルト部材３を移動させてストラップＢの実効長Ｌを肩パッド２０の左右両側で同時に若しくは個別に変更可能としたものである。
【００５０】
或いは、中央ベルト部材２と左右の端ベルト部材３の三つに分割されているもので、中央ベルト部材２が肩パッド２０を構成するとともに、中央ベルト部材２と左右の端ベルト部材３の間をコキ式の引き出し環４３を有する継手部材４によって接続し、これにより端ベルト部材３をストラップＢの実効長Ｌを構成する肩掛け領域３１とストラップＢの実効長Ｌを構成しない引き出し領域３２とに区成するとともに、前記引き出し環４３に端ベルト部材３を、当該引き出し環４３に対して肩掛け領域３１に所定方向の荷重が掛かったときに当該ベルトＣを拘束し、前記引き出し環４３に対して肩掛け領域３１が前記所定方向と異なる方向に引っ張られたときにベルトＣを開放し得るように係合させ、これにより拘束時にストラップＢの実効長Ｌを肩パッド２０の左右両側で固定し、開放時に肩掛け領域３１と引き出し領域３２の間で端ベルト部材３を移動させてストラップＢの実効長Ｌを肩パッド２０の左右両側で同時に若しくは個別に変更可能としたものである。また、前記引き出し環４３に端ベルト部材３を、引き出し領域３２が引っ張られたときにもベルトＣを開放し得るように係合させている。
【００５１】
このようにすると、前述した利点に加えて、常にストラップの肩パッド２０を肩部頂点に位置させるための調節をすることができ、調節後にも肩パッド２０がスライドすることがないため確実に調節状態を維持することができる。
【００５２】
さらに、引き出し環４３は、平環４３ａのなかに固定された中軸４３ｂを備え、中軸４３ｂで画された一対の窓４３ｃの一方に挿通したベルトＣを折り返して他方から引き出すことでベルトＣを中軸４３ｂに引っ掛けるようにしたものであり、中軸４３ｂに対して平環４３ａの外枠４３ａ１は一端側が窓４３ｃの開口方向に変位していて、中軸４３ｂから平環４３ａの外枠４３ａ１に向けてベルトＣの二重になった部分を重合させて押し付ける方向に引っ張られたときにベルトＣを拘束し、窓４３ｃの開口方向に引っ張られ、あるいはベルトＣの二重になった部分の少なくとも一方が平環４３ａの外枠４３ａ１に押し付けられない状態で引っ張られたときにベルトＣの開放を可能とするものである。
【００５３】
加えて、肩掛け領域３１と引き出し領域３２はともに束縛手段３０，３３に挿し通してある。
【００５４】
このような効果を得る限りにおいては、引き出し領域３２の一部に着脱部６１、６１´は必須の要件ではないが、本実施形態ではこの着脱部６１、６１´を設けることによって、引き出し先において図５に想像線で示すように着脱可能に接続してひとまとめにし、垂れ下がりを防止するようにしているので、肩パッド２０のみならず引き出し領域３２がバッグ本体１から床に垂れ下がることをも抑止して、汚損防止をより実効あらしめることができる。しかも、ストラップＢ自体にこのような垂れ下がり防止機能が備わることで、バッグ本体１にポケットや巻き取りリール等、着脱部等を設けることを不要にして、バッグ本体１の構造や機能に頼らずともストラップＢのみにて機能を完結させることができるようになる。
【００５５】
さらに、これらの効果を得る限りにおいては第２の引き出し環６２は必須の要件ではないが、本実施形態はさらに着脱部６１、６１´に更に第２の引き出し環６２を一体的に備えて、前記引き出し環４３から引き出した引き出し領域３２を更に、前記第２の引き出し環６２によって、引き出し環４３から第２の引き出し環６２までの折り畳み領域３２ａと、第２の引き出し環６２から先の余長領域３２ｂとに区成しているものである。そして、前記第２の引き出し環６２を、左右の折り畳み領域３２ａ、３２ａが図５に示すように締め付けられて所定方向に引っ張られたときに引き出し領域３２を拘束し、折り畳み領域３２ａ、３２ａが図６のような持ち上げ操作によって前記所定方向と異なる方向に引っ張られたときには端ベルト部材３を開放し得るように構成して、開放時に折り畳み領域３２ａから余長領域３２ｂにベルトＣを連続的に移動させ、ストラップ全体をバッグ本体１の外周（特に頂部１２）に収斂させて折り畳み得るようにしているので、より垂れ下がりの無い状態を作り出すことができる。
【００５６】
さらにまた、ループ環３３によって余長領域３２ｂを折り畳み領域３２ａに束ねているので、例えば電車の網棚等にこのバッグを寝かせて置いても、ストラップＢの垂れ下がりを完全に解消することができる。
【００５７】
なお、仮に折り畳み力が中途半端なために肩パッド２０がバッグ本体の頂部１２からずり落ちるようなことがあっても、図５に想像線で示すようにバッグ本体１の正面や背面で肩パッド２０が引っ掛かった状態に保持されるので、この場合にも垂れ下がり防止機能は確実に担保されることとなる。
【００５８】
また、本ストラップＢは、中央ベルト部材２それ自体が固定式の肩パッド２０であることから、肩パッド部だけがスライドしてずれるといった不具合がなく、常に調節した位置に肩パッド２０を維持して安定的に使用することができる。
【００５９】
また、図１等に示したように、端部側に長さ調節部として利用できる引き出し環４３が設けてあり、左右の端ベルト部材３の長さを独立して調節できるようにしているので、例えば図８（ａ）に示すようにメッセンジャーバッグ的に背中でバッグＡを支持する場合、あるいは同図（ｂ）に示すように身体の前にバッグＡを位置づける場合の何れにおいても、常にストラップＢの肩パッド２０を肩部頂点に位置させるための調節をすることができ、調節後にも肩パッド２０がスライドすることがないため確実に調節状態を維持することができて、持ち方に応じた自在な利用の態様が可能になる。
【００６０】
しかも、その調節部となる引き出し環４３はいわゆるコキ式と称されるものであるため、ストラップＣの調節しろを大きくとることができるようになる上に、従来のストラップのように長さ調節操作でベルトを少しずつ繰り出すといった煩雑な操作が不必要となって、引き出し領域３２を図１に示すように引っ張り、或いは引き出し環４３を図４のように持ち上げるといった非常に簡単な操作を左右の引き出し環４３、４３に対して個々に又は同時に行えば、一瞬にして端ベルト部材３，３の長さを個別にまたは連動して調節することができるという、従来にはない新しい機能を得ることができる。
【００６１】
さらにまた、本実施形態は接続部５を通じて既存のストラップと互換性をもたせたことで、一本のストラップＢを汎用でき、万一破損しても修理交換が部分的に容易に可能であるなど経済性、収納性にも優れるほか、バッグに限らず機材を収納するケースや、キャスターを具備しないケース、ゴルフバッグや楽器ケースなどあらゆる大きさ、形状の携帯用運搬具に適用することが可能となる。
【００６２】
なお、各部の具体的な構成は、上述した実施形態のみに限定されるものではない。
【００６３】
例えば、コキ式の引き出し環４３を使ってストラップＣが床に垂れないように引っ張り、またバッグ本体１に沿って収まるように接続したり折り畳んだりすることによる効果を得る限りにおいては、中央ベルト部材２を構成する肩パッド２０と端ベルト部材３の間に回転軸４１を設ける必要は必ずしもないし、肩パッド２０はスライド式であっても構わない。
【００６４】
この場合、図９に示すように、中央ベルト部材２と端ベルト部材３との間に着脱接続部１００を設けることも有効である。図示例は、中央ベルト部材２が肩パッド２０で構成されていて、その端部にＤ環等の接続具４２を取り付け、その接続具４２に回転軸４１を介して着脱部１００を構成する雌型バックル要素１００ａを設け、対する端ベルト部材３には雄型バックル要素１００ｂと、その雄型バックル要素１００ｂと一体をなす引き出し環４３とを設けたものである。この種のバックル要素に見られる着脱部１００は規格が定められていて、同じ規格のものを用いれば、既存のストラップの一部に存する着脱接続部を外してその中央ベルト部材側と互換性を有するため、既に保有しているバッグのストラップに簡単に付け替えて、固定式の肩パッド２０の両端に回転軸４１を設ける構成を簡単に採り入れることができる。
【００６５】
また、図１０に示すように、ストラップの適用対象である携帯用運搬具本体たるバッグ本体１には、その厚みを構成する頂部１２にストラップの接続部を取り付けるための支持部１２ａが設けられていてもよい。この場合は支持部１２ａ、１２ａ間の距離が前記実施形態の支持部１１ａ、１１ａ間の距離よりも短くなるが、上記と同様のストラップＢを用いれば、図１１→図１２に示すように引き出し領域を引っ張り、図１→図１２に示すように接続部６１、６１´同士を接続し、余長領域３２ｂを引っ張るという３段階の一連の操作によって、極めてコンパクトに折り畳んでバッグ本体の頂部に収めることができるため、この種のバッグにおいてもストラップが垂れる不都合を完全に解消することが可能となる。
【００６６】
さらに、バッグ本体１へのストラップＢの接続部１０５は図１３に示すようにバッグ本体１に設けた支持部たる押え布１１１ａで縫い付けるなどして一体化しても、コキ式の引き出し環４３を用いてストラップの垂れを防止する効果は、上記実施形態と全く同様にして得ることができる。
【００６７】
さらにまた、運搬具本体であるバッグ本体１の外周に沿ってストラップＢを収める態様は、図１４（ａ）→（ｂ）に示すようにバッグ本体１の底部１３側に巻き回しても構わない。この場合も他の構成は上記に準ずるものである。
【００６８】
ところで、上記実施形態や変形例は何れも、肩パッド２０に近い側に引き出し環４３を設け、バッグ本体１の支持部１１ａに対する接続位置に近い一端部３ａは接続部材５を介しバッグ本体１に接続して、肩パッド２０に近い引き出し環４３側でストラップＢの実効長Ｌを調節するようにしたが、図１、図４及び図５にそれぞれ対応する図１５、図１６及び図１７に示すように、使用状態においてバッグ本体１の支持部１１ａに対する接続位置に近い側にある一端側３ａに、例えばスナップフック等の接続部材５と一体化するなどして引き出し環１４３を設け、この引き出し環１４３側でストラップＢの実効長Ｌを調節するように構成することもできる。
【００６９】
すなわち、当該引き出し環１４３に端ベルト部材３のうちバッグ本体１に近い一端部３ａ側を係合させて折り返すことによって、端ベルト部材３を、中央ベルト部材２に近い他端部３ｂから引き出し環１４３まで延びて中央ベルト部材２とともにループ状の肩掛け部を構成する肩掛け領域１３１と、引き出し環１４３から一端部３ａまでの間にあって肩掛け部を構成しない引き出し領域１３２とに区成することができる。
【００７０】
この場合も、左右の端ベルト部材３の各々の引き出し領域１３２の一部には、当該左右の端ベルト部材３、３同士を接続又は接続解除するための着脱部６１、６１´を有する接続部材６、６´が設けてあり、さらに接続部材６、６´には、着脱部６１、６１´とともにコキ式の第２の引き出し環１６２が一体的に設けてある。この第２の引き出し環１６２も、前記引き出し環１４３から引き出した引き出し領域１３２を更に、引き出し環１４３から第２の引き出し環１６２までの折り畳み領域１３２ａと、第２の引き出し環１６２から先の余長領域１３２ｂとに区成しているものである。
【００７１】
このように構成しても、図１５の状態でストラップＢを肩に掛けているときには引き出し環１４３は端ベルト部材３を拘束し、一方、バッグ本体１の側方に位置する引き出し領域１３２を上方に向けて引っ張ると肩掛け領域１３１から引き出し領域１３２に向かってベルトＣが連続的に移動する結果、図１５→図１６のようにストラップの実効長Ｌを短くして肩パッド２０をバッグ本体１の外周、特に頂部１２に沿って収めることができ、更に引き出し領域３２に設けた着脱部６１、６１´をバッグ本体１の上部で相互に接続して余長領域３２ｂを互いに離れる方向に引っ張ることで図１７に示すように第２の引き出し環１６２において折り畳み領域１３２ａから余長領域１３２ｂに向かってベルトＣが引き出される結果、引き出し領域１３２を最短の状態でバッグ本体１の頂部１２に折り畳むことができる。ストラップＢを引き出す際には、脱着部６１、６１´を解除し、第２の引き出し環１６２や引き出し環１４３において上記と逆方向にベルトＣの移動が生じるように操作すれば、図１７→図１６→図１５の手順でストラップＢを引き出して使用することができる。
【００７２】
また、各引き出し環１４３、１４３において独立して端ベルト部材３，３の長さ調節を行うことができる利点が得られることなども、上記実施形態と同様である。
【００７３】
なお、図１５〜図１６の場合、ベルトＣの他端部３ｂ側にも前記実施形態で用いたコキ式の引き出し環４３が設けてあり、このコキ式の引き出し環４３においてもストラップＢの実効長Ｌが調節可能であるため、このストラップＢは、肩掛け領域１３１の両側に位置するコキ式の引き出し環４３、１４３が協働して、ストラップＢの実効長Ｌを調節するダブルアジャスタ機構を構成しており、肩パッド２０の近くにおいてもバッグ本体１の近くにおいても、各端ベルト部材３の個別の長さ調節を行うことのできる更に便利なものとして利用に供することができる。
【００７４】
この意味において、図１等に示したベルトＣの一端部１１ａ側に更にコキ式の引き出し環を設けておくことも有効である。
【００７５】
また、本発明の適用対象である携帯用運搬具も、各種ショルダーバッグ／ビジネスバッグ、各種ブリーフケース、ノートブックケース、ドキュメントケース、スポーツバッグ、カメラ機材バッグ、各種機材用バッグ（放送・業務用映像機材や音声機材の専用ケース）、アタッシュケース、ボストンバッグ、メッセンジャーバッグ、弦楽器・管楽器などの楽器ケース、各種ハードケース、ガーメントバッグ／スーツケース、肩掛けキャリーバッグ、スリーウェイバッグ、ポシェット、武器ケース、サーフボードケースなどを始め、ショルダーストラップを取り付け肩に掛けて支持する容器や箱状の物や袋状のもの等に広く展開することができる。
【００７６】
その他の構成も、本発明の趣旨を逸脱しない範囲で種々変形が可能である。
【符号の説明】
【００７７】
１…運搬具本体（バッグ本体）
２…中央ベルト部材
３…端ベルト部材
４…継手部材
２０…肩パッド
３１…肩掛け領域
３２…引き出し領域
３２ａ…折り畳み領域
３２ｂ…余長領域
３０、３３…束縛手段（ループ環）
４３…引き出し環
４３ａ…平環
４３ａ１…外枠
４３ｂ…中軸
４３ｃ…窓
６１、６１´…着脱部
６２…第２の引き出し環
Ａ…携帯用運搬具（バッグ）
Ｂ…ショルダーストラップ
Ｃ…ベルト
Ｌ…実効長
【図１】
0005367657.tif 000002
【図２】
0005367657.tif 000003
【図３】
0005367657.tif 000004
【図４】
0005367657.tif 000005
【図５】
0005367657.tif 000006
【図６】
0005367657.tif 000007
【図７】
0005367657.tif 000008
【図８】
0005367657.tif 000009
【図９】
0005367657.tif 000010
【図１０】
0005367657.tif 000011
【図１１】
0005367657.tif 000012
【図１２】
0005367657.tif 000013
【図１３】
0005367657.tif 000014
【図１４】
0005367657.tif 000015
【図１５】
0005367657.tif 000016
【図１６】
0005367657.tif 000017
【図１７】
0005367657.tif 000018